(57)【要約】【課題】商品販売データ処理装置（ＰＯＳ端末等）と移動体通信端末（携帯電話等）との間のコミュニケーションを多様化する。【解決手段】入力された商品コードに基づく商品販売データ処理を実行するに際して、携帯電話２０１から赤外線通信によって送信されたレシート情報要求を受信し、レシート情報要求を受信した場合、一取引の終了宣言があったことを条件として、その終了が宣言された取引についてのレシート情報を赤外線送信する。これにより、携帯電話２０１にレシート情報を提供することができ、ＰＯＳ端末１０１と携帯電話２０１との間のコミュニケーションの多様化の一助となる。【選択図】    図１
2004265243.tif 000002
【特許請求の範囲】
【請求項１】
商品コードを入力する手段と、
入力された商品コードに基づいて商品販売データ処理を実行する手段と、
赤外線通信によってデータの送受信を行なう赤外線通信手段と、
移動体通信端末から赤外線通信によって送信されたレシート情報要求を前記赤外線通信手段によって受信する受信手段と、
レシート情報要求を受信した場合、一取引の終了宣言があったことを条件として、その終了が宣言された取引についてのレシート情報を前記赤外線通信手段によって赤外線送信する送信手段と、
を具備する商品販売データ処理装置。
【請求項２】
前記移動体通信端末において前記レシート情報を赤外線受信することが可能であることを報知する請求項１記載の商品販売データ処理装置。
【請求項３】
前記移動体通信端末において前記レシート情報を赤外線受信するための手順を報知する請求項１又は２記載の商品販売データ処理装置。
【請求項４】
客面表示器を備え、この客面表示器を利用した案内表示によって必要な報知を行なう請求項２又は３記載の商品販売データ処理装置。
【請求項５】
赤外線通信によってデータの送受信を行なう赤外線通信手段を備え、入力された商品コードに基づく商品販売データ処理を実行する商品販売データ処理装置が備えるコンピュータにインストールされ、このコンピュータに、
移動体通信端末から赤外線通信によって送信されたレシート情報要求を前記赤外線通信手段によって受信する受信機能と、
レシート情報要求を受信した場合、一取引の終了宣言があったことを条件として、その終了が宣言された取引についてのレシート情報を前記赤外線通信手段によって赤外線送信する送信機能と、
を実行させる機械読み取り可能なレシート情報送信プログラム。
【発明の詳細な説明】
【０００１】
【発明の属する技術分野】
本発明は、ＰＯＳ端末（ＰＯＳはＰｏｉｎｔ  ｏｆ  Ｓａｌｅｓの略称）等の商品販売データ処理装置及びこれにインストールされるレシート情報送信プログラムに関する。
【０００２】
【従来の技術】
ＰＯＳ端末等の商品販売データ処理装置は、その実体がコンピュータであり、そのために多機能化が容易である。
【０００３】
また、近年、携帯電話等の移動体通信端末の使用用途も拡大傾向にあり、その多機能化も進んでいる。
【０００４】
このような多機能化が進むＰＯＳ端末と移動体通信端末とのコミュニケーション技術として、例えば、携帯電話に端末ＩＤを予め登録しておき、携帯電話に登録された端末ＩＤを例えばＰＯＳ端末において読み出し、読み出した端末ＩＤを本人認証に使用する、というような技術が考えられている（特許文献１参照）。
【０００５】
【特許文献１】
特開２００２−６３６５８公報
【０００６】
【発明が解決しようとする課題】
しかしながら、ＰＯＳ端末と移動体通信端末との間のコミュニケーションについては、お互いの規格の相違等も災いして、あまり進展していないのが現状である。そこで、ＰＯＳ端末と移動体通端末との間のコミュニケーション技術の進展が望まれる。
【０００７】
本発明の目的は、ＰＯＳ端末と移動体通信端末との間のコミュニケーションを多様化することである。
【０００８】
【課題を解決するための手段】
本発明の商品販売データ処理装置（例えば、ＰＯＳ端末等）は、入力された商品コードに基づく商品販売データ処理を実行するに際して、移動体通信端末から赤外線通信によって送信されたレシート情報要求を赤外線通信手段によって受信し、レシート情報要求を受信した場合、一取引の終了宣言があったことを条件として、その終了が宣言された取引についてのレシート情報を前記赤外線通信手段によって赤外線送信する。これにより、携帯電話等の移動体通信端末にレシート情報が提供される。
【０００９】
【発明の実施の形態】
本発明の実施の一形態を図１ないし図１３に基づいて説明する。
【００１０】
本実施の形態は、概略的には、商品販売データ処理装置（ＰＯＳ端末１０１）での一取引の終了に際して、その取引によって生成されたレシート情報を赤外線通信機能によって外部の移動体通信端末（携帯電話２０１）に送信し、携帯電話２０１で役立てようとするものである。以下、ＰＯＳ端末１０１の詳細、携帯電話２０１の詳細、ＰＯＳ端末１０１での商品販売データ処理の流れ、及びレシート情報の送受信処理の流れ、という順番で説明する。
【００１１】
まず、ＰＯＳ端末１０１について図１及び図２を参照して説明する。
【００１２】
図１は、赤外線通信中である商品販売データ処理装置（ＰＯＳ端末１０１）と移動体通信端末（携帯電話２０１）とを示す斜視図である。
【００１３】
図１に示すように、ＰＯＳ端末１０１はドロワ１０２に載置されて使用される。このようなＰＯＳ端末１０１は、携帯電話２０１と共通の規格下にある赤外線通信機能を備えている。このような赤外線通信機能の規格としては、例えばＩｒｄａ等が採用されている。もっとも、ＰＯＳ端末１０１及び携帯電話２０１の赤外線通信機能として、他の規格等を採用しても良い。
【００１４】
図２は、ＰＯＳ端末１０１のハードウェア構成を示すブロック図である。ＰＯＳ端末１０１は、その概略構成として、各種演算処理を実行して各部を集中的に制御するＣＰＵ１０３に、固定データを格納するＲＯＭ１０４、可変データを書き替え自在に格納するＲＡＭ１０５、各種表示デバイス１０６、各種入力デバイス１０７、記憶装置１０８、インターフェース１０９、通信インターフェース１１０及び赤外線通信手段としての赤外線通信モジュール１１１がシステムバス１１２を介して接続された構成を有している。
【００１５】
ここで、表示デバイス１０６には、図１に外観を例示するオペレータ用表示器１０６ａと客面表示器１０６ｂとが含まれている。また、入力デバイス１０７としては、例えば、図１に例示するバーコードスキャナ１０７ａ、キーボード１０７ｂ、カードリーダライタ１０７ｃ、タッチパネル１０７ｄが設けられている。タッチパネル１０７ｄは、オペレータ用表示器１０６ａと客面表示器１０６ｂとの双方に設けられている。また、バーコードスキャナ１０７ａ、キーボード１０７ｂ及びタッチパネル１０７ｄは、商品コードを入力する手段として機能する。
【００１６】
記憶装置１０８としては、例えばハードディスクドライブが用いられる。このような記憶装置１０８には、オペレーティングシステム１１３（以下、ＯＳ１１３と略称する）の他、プログラム１１４がインストールされ、各種ファイル１１５が記憶保存されている。これらのＯＳ１１３、プログラム１１４及び各種ファイル１１５は、一例として、通信インターフェース１１０に例えばＬＡＮを介して接続された図示しないストアコントローラ等の外部機器からインストールされる。こうしてインストールされたプログラム１１４として、本実施の形態のＰＯＳ端末１０１は、商品販売データ処理プログラム（図５参照）及びレシート情報送信プログラム（図６参照）がインストールされている。この意味で、記憶装置１０８は、プログラム１１４を格納する記憶媒体として機能する。
【００１７】
そして、記憶装置１０８にインストールされたＯＳ１１３やプログラム１１４は、ＰＯＳ端末１０１の起動時やプログラム１１４の起動時、その全部又は一部がＲＡＭ１０５にコピーされ、アクセス速度の高速度化が図られている。
【００１８】
また、記憶装置１０８に記憶保存された各種ファイル１１５の代表的なものとしては、ＰＬＵファイルがある。このＰＬＵファイルは、商品を特定する商品コードに対応させて、その商品の品名や単価１１６ｃ等のデータを記憶するデータ構造となっている。
【００１９】
さらに、ＰＯＳ端末１０１は、通信インターフェース１１０として、図示しないネットワークカードを有しており、図示しないＬＡＮ環境に接続可能な構成を備えている。そして、ＯＳ１１３が含むプログラム又は専用のプログラム１１４は、ＬＡＮ環境への接続を支援する。これにより、ＰＯＳ端末１０１は、ＬＡＮ環境においてクライアントＰＣとして機能する。
【００２０】
次いで、携帯電話２０１について図３及び図４を参照して説明する。
【００２１】
図３（ａ）は蓋が開かれた携帯電話２０１の側面図、図３（ｂ）は蓋が開かれた携帯電話２０１の正面図、図３（ｃ）は蓋が閉じられた携帯電話２０１の正面図である。また、図４は、携帯電話２０１におけるハードウェアのブロック図である。
【００２２】
携帯電話２０１は、折り畳み式であり、その基本的な外観構成としては特殊性を有していない。つまり、操作者が手で持つ側の基部ハウジング２０２に蓋様のカバーハウジング２０３が回動自在に取り付けられている。そして、基部ハウジング２０２には、伸縮自在のアンテナ２０４と、操作部２０５と、マイク２０６とが設けられている。また、カバーハウジング２０３には、その内部に大型のメイン表示器２０７が設けられ、その上部にはスピーカ２０８が設けられている。カバーハウジング２０３の外側には小型のサブ表示器２０９も備えられている。
【００２３】
ここで、操作部２０５は、テンキー２１０、電源・通話終了キー２１１、通話開始キー２１２、ウェブキー２１３、メールキー２１４、４接点キー２１５及びメニュー・エンターキー２１６を有している。テンキー２１０は、電話番号入力等の置数入力に際して用いられるキーである。電源・通話終了キー２１１は、電源のオン・オフ切り替えと、通話を終了させるためのキーである。通話開始キー２１２は、通話を開始するためのキーである。ウェブキー２１３は、インターネットを閲覧するためのキーである。メールキー２１４は、電子メール機能を使用する際に操作するキーである。４接点キー２１５は、カーソル移動等のために操作すべきキーである。メニュー・エンターキー２１６は、メイン表示器２０７にメニュー画面を表示させたり、選択項目を確定させたりする場合に用いるキーである。
【００２４】
図４は、携帯電話２０１のハードウェア構成を示すブロック図である。携帯電話２０１は、その概略構成として、各種演算処理を実行して各部を集中的に制御するＣＰＵ２１７に、固定データを格納するＲＯＭ２１８、可変データを書き替え自在に格納する記憶領域としてのＲＡＭ２１９、操作部２０５、メイン表示器２０７、サブ表示器２０９、変復調部２２０、及び赤外線通信モジュール２２１がシステムバス２２２を介して接続された構成を有している。赤外線通信モジュール２２１における赤外線通信機能の規格としては、ＰＯＳ端末１０１と共通する例えばＩｒｄａ等が採用されている。もっとも、ＰＯＳ端末１０１及び携帯電話２０１の赤外線通信機能として、他の規格等を採用しても良い。
【００２５】
ＲＯＭ２１８は、ＯＳや各種のプログラムをインストールしている。このようなＯＳやプログラムに従い、ＣＰＵ２１７は各部を駆動制御して携帯電話２０１に各種の機能を生じさせる。特に、本実施の形態では、ＲＯＭ２１８に格納されたＯＳ及びプログラムは、インターネット接続機能、ウェブブラウザ機能、電子メール機能、プログラムダウンロード機能、及び赤外線通信モジュール２２１を用いた赤外線通信機能等を携帯電話２０１に実行させる。
【００２６】
携帯電話２０１で実行されるインターネット接続機能は、例えばＩＳＰ（インターネット・サービス・プロバイダ）に接続してインターネットという仮想空間に入り込む機能である。
【００２７】
携帯電話２０１で実行されるインターネット接続機能は、ウェブブラウザ機能は、インターネット上で公開されているコンテンツの内容を閲覧する機能である。
【００２８】
携帯電話２０１で実行される電子メール機能は、インターネットを介して電子メールの送受信を可能とする機能である。
【００２９】
携帯電話２０１で実行されるプログラムダウンロード機能は、インターネット接続機能及びウェブブラウザ機能によってインターネット上に公開されているコンテンツにアクセスし、そのコンテンツが提供するアプリケーションプログラムをダウンロードする機能である。このプログラムダウンロード機能は、ダウンロードしたプログラムファイルをＲＡＭ２１９の記憶領域に記憶保存し、いつでもその記憶保存したプログラムファイルを起動して携帯電話２０１のＣＰＵ２１７に解釈実行させる機能をサポートする。
【００３０】
携帯電話２０１で実行される赤外線通信機能は、赤外線通信モジュール２２１の赤外線通信ポートをオンにしてＰＯＳ端末１０１等の他の機器との間で赤外線通信を実行する機能である。また、この赤外線通信機能は、電話帳やメール、ブックマーク等を赤外線通信する機能をサポートする。例えば、携帯電話２０１のＣＰＵ２１７は、赤外線通信可能な状態となっている携帯電話２０１が赤外線通信によって送信されたブックマークを受信した場合、そのブックマークをＲＡＭ２１９の記憶領域にブックマーク登録する。
【００３１】
ＲＡＭ２１９は、不揮発性記憶領域又はバッテリバックアップ領域を有している。特に、本実施の形態のＲＡＭ２１９は、インターネットを介してアクセスするコンテンツからダウンロードしたプログラムファイルを記憶保存する記憶領域を有している。
【００３２】
変復調部２２０には、アンテナ２０４を介して音声信号やデータ信号を送受信する送受信部２２３と、音声処理部２２４とが接続されている。音声処理部２２４は、変復調部２２０から送信された音声データをＤ／Ａ変換してスピーカ２０８から音響信号として出力させ、また、マイク２０６から取り込まれた音声信号をＡ／Ｄ変換して変復調部２２０に送信する。
【００３３】
次いで、ＰＯＳ端末１０１での商品販売データ処理について図５のフローチャートを参照して説明する。この商品販売データ処理は、ＰＯＳ端末１０１の記憶装置１０８にインストールされている商品販売データ処理プログラムに従い実行される。
【００３４】
本実施の形態のＰＯＳ端末１０１は、動作モードが登録モードに設定されている場合、記憶装置１０８に格納されてＰＯＳ端末１０１の起動時にその全部又は一部がＲＡＭ１０５にコピーされるプログラム１１４に従ったＣＰＵ１０３の制御により、商品販売データ処理を実行する。つまり、図５に示すように、ＣＰＵ１０３は、バーコードスキャナ１０７ａ等の入力デバイス１０７による商品コードの入力有無の判定に待機している（ステップＳ１０１）。この判定で、商品コードの入力があったと判定された場合（ステップＳ１０１のＹ）、ＲＡＭ１０５内のＰＬＵファイルが検索され（ステップＳ１０２）、入力された商品コードに一致する商品コードに対応付けられた商品データ、ここでは品名及び単価がＲＡＭ１０５の一時記憶領域にレジストされる（ステップＳ１０３）。
【００３５】
その後、ＰＯＳ端末１０１のＣＰＵ１０３は、小計入力の有無を判定する（ステップＳ１０４）。小計入力は、例えばキーボード１０７ｂに含まれている図示しない小計キーの押下によってなされる。そこで、ＣＰＵ１０３は、そのような小計入力を判定するまではステップＳ１０１での商品コードの入力有無の判定処理にリターンし（ステップＳ１０４のＮ）、小計入力を判定した場合には（ステップＳ１０４のＹ）、預り金額の入力処理を実行する（ステップＳ１０５）。この預かり金額の入力処理は、例えばキーボード１０７ｂの置数によって入力された数値を預かり金額としてＲＡＭ１０５の一時記憶領域に一時記憶する処理である。
【００３６】
その後の処理は、締め操作の有無の判定である（ステップＳ１０６）。締め操作は、例えばキーボード１０７ｂに含まれている図示しない締めキー、一例として図示しない客層キーの押下によってなされる。そこで、ＣＰＵ１０３は、そのような締め操作を判定した場合には（ステップＳ１０６のＹ）、ＲＡＭ１０５中に設けられた図示しない売上登録メモリに対する商品販売データの登録（ステップＳ１０７）、レシート発行（ステップＳ１０８）、ドロワ１０２の引出オープン（ステップＳ１０９）という一連の処理を実行する。ここに、入力された商品コードに基づく商品販売データ処理を実行する手段が実行される。
【００３７】
ここで、ステップＳ１０８でのレシート発行に際して、ＰＯＳ端末１０１は、レシート情報を生成する。レシート情報は、購入した商品、購入金額、預り金額、釣り銭金額等の各種のデータに基づいて生成されるレシート内容の印字に必要な情報である。
【００３８】
次いで、ＰＯＳ端末１０１におけるレシート情報送信処理について図６のフローチャートを参照して説明する。このレシート情報送信処理は、ＰＯＳ端末１０１の記憶装置１０８にインストールされているレシート情報送信プログラムに従い実行される。また、このようなＰＯＳ端末１０１に対するＵＲＬのブックマーク登録処理は、ＰＯＳ端末１０１と携帯電話２０１との間での赤外線の送受信を伴って実行される。
【００３９】
ＰＯＳ端末１０１のＣＰＵ１０３は、動作モードが登録モードに設定されている場合、図５のフローチャートに示す商品販売データ処理と並行して図６のフローチャートに示すレシート情報送信処理を実行する。図６に示すように、まず、商品コードの入力の有無を判定し（ステップＳ２０１）、商品コードの入力があったと判定された場合には（ステップＳ２０１のＹ）、レシート情報取得案内を客面表示器１０６ｂに表示出力する。
【００４０】
レシート情報取得案内は、例えば図８に例示するような内容である。つまり、レシート情報取得案内は、「レシート情報取得プログラム取得済みのお客様へ」と題されたレシート情報取得プログラムを既に取得済みである顧客に向けた案内と、「赤外線通信機能を持った携帯電話をお持ちのお客様へ」と題されたレシート情報取得プログラムを未だ取得していない顧客に向けた案内との二本立てとなっている。そして、レシート情報取得プログラムを既に取得済みである顧客には、その顧客の携帯電話２０１に記憶保存されているレシート情報取得プログラムを起動すべきことが示される。また、レシート情報取得プログラムを未だ取得していない顧客には、どのようにしてそのレシート情報取得プログラムを取得することができるかが示される。本実施の形態では、インターネット上の所定のコンテンツのＵＲＬが示され、このＵＲＬで特定されるコンテンツにアクセスすればレシート情報取得プログラムを取得できることが示される。
【００４１】
その後の処理として、ＰＯＳ端末１０１のＣＰＵ１０３は、小計入力の有無の判定を行ない（ステップＳ２０３）、小計入力があったと判定した場合には（ステップＳ２０３のＹ）、客面表示器１０６ｂに表示出力しているレシート情報取得案内を更新する。
【００４２】
更新後のレシート情報取得案内は、例えば図９に例示するような内容である。つまり、レシート情報取得プログラムを既に取得済みである顧客には、携帯電話２０１をＰＯＳ端末１０１に近づけて送信ボタンを操作すべき指示が示される。レシート情報取得プログラムを未だ取得していない顧客に対する案内情報は更新されず、図８に例示した内容のままである。
【００４３】
その後の処理として、ＰＯＳ端末１０１のＣＰＵ１０３は、この状況においては携帯電話２０１からであると推定される赤外線通信応答要求データの受信の有無を判定する（ステップＳ２０５）。そして、赤外線通信応答要求データを受信したと判定した場合には（ステップＳ２０５のＹ）、赤外線通信モジュール１１１の赤外線ポートをオンにし、赤外線通信で応答を返す（ステップＳ２０７）。
【００４４】
その後の処理として、ＰＯＳ端末１０１のＣＰＵ１０３は、レシート情報要求を受信する（ステップＳ２０８）。そして、レシート情報の送信要求があった場合には（ステップＳ２０８のＹ）、赤外線通信モジュール１１１の赤外線ポートをオンにし、赤外線通信でレシート情報を送信する（ステップＳ２１０）。ここに、移動体通信端末から赤外線通信によって送信されたレシート情報要求を赤外線通信手段であるに赤外線通信モジュール１１１よって受信する受信手段の機能と、レシート情報要求を受信した場合、一取引の終了宣言があったことを条件として、その終了が宣言された取引についてのレシート情報を赤外線通信手段であるに赤外線通信モジュール１１１によって赤外線送信する送信手段の機能とが実行される。
【００４５】
以上の処理によって、ＰＯＳ端末１０１におけるレシート情報送信処理が実行される。なお、ステップＳ２０５の赤外線通信応答要求データの受信の有無判定において、締め操作後の新たな商品コードの入力を認識した場合、つまり、次の顧客の商品コード入力を認識した場合には（ステップＳ２０６のＹ）、レシート情報の送信要求がなかったものとしてレシート情報送信処理を終了する。また、ステップＳ２０８のレシート情報要求の有無判定において、レシート情報要求が判定されないまま予め規定された時間が経過した場合にも、レシート情報の送信要求がなかったものとしてレシート情報送信処理を終了する。
【００４６】
次いで、携帯電話２０１におけるレシート情報取得処理について図７のフローチャートを参照して説明する。このレシート情報取得処理は、携帯電話２０１がそのプログラムダウンロード機能によって取得したレシート情報取得プログラムに従い携帯電話２０１のＣＰＵ２１７が解釈実行することによってなされる。
【００４７】
まず、赤外線通信機能をサポートする携帯電話２０１の所持者である顧客は、一例として、ＰＯＳ端末１０１がレシート情報送信処理に伴い客面表示器１０６ｂに表示するレシート情報取得案内（図８、図９参照）によってレシート情報取得プログラムがあることを知る。そこで、そのようなレシート情報取得案内（図８、図９参照）に示されているＵＲＬのコンテンツにアクセスし、レシート情報取得プログラムを獲得する。つまり、携帯電話２０１はそのプログラムダウンロード機能を駆使し、レシート情報取得案内（図８、図９参照）に示されているＵＲＬのコンテンツからレシート情報取得プログラムをダウンロードしてＲＡＭ２１９の記憶領域に記憶保存する。これにより、その顧客は、レシート情報取得案内（図８、図９参照）で「レシート情報取得プログラム取得済みのお客様へ」と題されたレシート情報取得プログラムを既に取得済みである顧客となる。
【００４８】
そこで、そのような顧客は、商品の購入時にＰＯＳ端末１０１の客面表示器１０６ｂに表示されるレシート情報取得案内（図８、図９参照）に従い、携帯電話２０１を操作する。まず、図８に例示するレシート情報取得案内の指示に従い、レシート情報取得プログラムを起動する。そのためには、携帯電話２０１のメニュー・エンターキー２１６を操作して図１０に例示するようなアプリケーションプログラム選択メニューをメイン表示器２０７に表示させる。そして、４接点キー２１５を操作し、そのアプリケーションプログラム選択メニューからレシート情報取得プログラムを選択し、「決定」と表示されているボタンをメニュー・エンターキー２１６で操作指定する。これにより、ＲＡＭ２１９の記憶領域に記憶保存されているレシート情報取得プログラムが起動する。これにより、携帯電話２０１のメイン表示器２０７は、図１１に例示するような画面表示となる。
【００４９】
起動したレシート情報取得プログラムは、図７に示す処理をＣＰＵ２１７に実行させる。つまり、携帯電話２０１のＣＰＵ２１７は、まず、レシート情報取得プログラムに従い、レシート情報要求指示の有無を判定する（ステップＳ３０１）。実際の運用としては、顧客は、ＰＯＳ端末１０１において小計入力があったと判定された場合に客面表示器１０６ｂに表示される図９に例示するレシート情報取得案内の指示に従い（図６のフローチャート中のステップＳ２０３、２０４参照）、携帯電話２０１をＰＯＳ端末１０１に近づけて「決定」と表示されているボタンをメニュー・エンターキー２１６で操作指定する。すると、ＣＰＵ２１７は、レシート情報要求指示があったと判定し（ステップＳ）、携帯電話２０１の赤外線通信モジュール２２１の通信ポートをオンにし、赤外線通信応答要求を赤外線送信させる（ステップＳ３０２）。そして、携帯電話２０１のメイン表示器２０７の画面表示を赤外線通信中画面表示とする（ステップＳ３０３）。赤外線通信中画面表示は、例えば図１２に例示するような画面表示である。
【００５０】
ステップＳ３０２で携帯電話２０１から赤外線通信応答要求が赤外線送信されるのに伴い、ＰＯＳ端末１０１では、図６のフローチャート中のステップＳ２０５で赤外線通信応答要求受信と判定し（ステップＳ２０５）、応答を赤外線通信で返す（ステップＳ２０６）。これにより、携帯電話２０１では、応答受信を判定し（ステップＳ３０４のＹ）、赤外線通信モジュール２２１の通信ポートをオンにしてレシート情報の要求を赤外線送信する（ステップＳ３０６）。
【００５１】
すると、ＰＯＳ端末１０１では、図６のフローチャート中のステップＳ２０８でレシート情報要求ありと判定し（ステップＳ２０８のＹ）、レシート情報を送信する（ステップＳ２１０）。これに応じて、携帯電話２０１はレシート情報を受信し（ステップＳ３０７）、受信したレシート情報をＲＡＭ２１９の記憶領域に記憶保存し（ステップＳ３０９）、画面表示を復帰させる（ステップＳ３１０）。
【００５２】
こうして、携帯電話２０１は、ＰＯＳ端末１０１からレシート情報を獲得する。なお、ステップＳ３０４の応答受信判定、ステップＳ３０７のレシート情報受信判定では、いずれもタイムアップエラーが設定されている（ステップＳ３０５，３０８）。
【００５３】
なお、本実施の形態によれば、レシート情報の取得が可能であることとそのための操作手順とを報知するので、それらの事項を顧客に知らせ、サービスの向上を図ることができる。この場合、ＰＯＳ端末１０１の客面表示器１０６ｂを利用した案内表示によって必要な報知を行なうので、情報報知のために特別なハードウェア構成を新たに設ける必要がなく、簡易に顧客に対する報知を実行することができる。
【００５４】
【発明の効果】
本発明によれば、一取引についてのレシート情報を赤外線送信するようにしたので、携帯電話等の移動体通信端末にレシート情報を提供することが、ＰＯＳ端末と移動体通信端末との間のコミュニケーションの多様化を図ることができる。
【図面の簡単な説明】
【図１】本発明の実施の一形態として、赤外線通信中である商品販売データ処理装置（ＰＯＳ端末）と移動体通信端末（携帯電話）とを示す斜視図である。
【図２】商品販売データ処理装置（ＰＯＳ端末）におけるハードウェアのブロック図である。
【図３】（ａ）は蓋が開かれた移動体通信端末（携帯電話）の側面図、（ｂ）は蓋が開かれた移動体通信端末（携帯電話）の正面図、（ｃ）は蓋が閉じられた移動体通信端末（携帯電話）の正面図である。
【図４】移動体通信端末（携帯電話）におけるハードウェアのブロック図である。
【図５】商品販売データ処理装置（ＰＯＳ端末）において商品販売データ処理プログラムに従い実行される商品販売データ処理の流れを示すフローチャートである。
【図６】商品販売データ処理装置（ＰＯＳ端末）においてレシート情報送信プログラムに従い実行される赤外線通信によってレシート情報を送信する処理の流れを示すフローチャートである。
【図７】移動体通信端末（携帯電話）においてレシート情報取得プログラムに従い実行される赤外線通信によってレシート情報を受信する処理の流れを示すフローチャートである。
【図８】商品販売データ処理装置（ＰＯＳ端末）の客面表示器に表示される案内表示の模式図である。
【図９】商品販売データ処理装置（ＰＯＳ端末）の客面表示器に表示される案内表示の模式図である。
【図１０】移動体通信端末（携帯電話）のメイン表示器に表示されるアプリケーションプログラム選択メニューを例示する模式図である。
【図１１】移動体通信端末（携帯電話）のメイン表示器に表示されるレシート情報要求画面例を示す模式図である。
【図１２】赤外線送信中の移動体通信端末（携帯電話）の画面表示例を示す模式図である。
【符号の説明】
１０６ｄ  客面表示器
１０７ａ、１０７ｂ、１０７ｄ  商品コードを入力する手段（バーコードスキャナ、キーボード、タッチパネル）
１１１  赤外線通信手段（赤外線通信モジュール）
Ｓ１０１〜１０９  商品販売データ処理を実行する手段
Ｓ２０８  受信手段
Ｓ２１０  送信手段
【図１】
2004265243.tif 000003
【図２】
2004265243.tif 000004
【図３】
2004265243.tif 000005
【図４】
2004265243.tif 000006
【図５】
2004265243.tif 000007
【図６】
2004265243.tif 000008
【図７】
2004265243.tif 000009
【図８】
2004265243.tif 000010
【図９】
2004265243.tif 000011
【図１０】
2004265243.tif 000012
【図１１】
2004265243.tif 000013
【図１２】
2004265243.tif 000014